(57)【要約】【課題】汎用的部材を使用して製造を簡略化し、高度な技量を要することなく作業者が容易かつ正確に組み上げられること。【解決手段】保管庫を構成する側板21A,21B、天板22及び底板23のそれぞれが、内部に補強リブ31,32を含む中空体として押し出しにより成形されると共にその中空体が幅方向に切断されることにより形成され、切断された両端開口33は補強リブ31により区画される。各板21A,21B,22,23の両端が互いにコーナブロック36により連結される。このブロック36は、各板21A,21B,22,23の幅方向に延びる基部36aと、基部36aを中心に互いに直角をなして突出し、各板21A,21B,22,23の開口33に差し込まれる差込部36b,36cとを含む。差込部36b,36cには、補強リブ31を挟む谷部36dが形成される。差込部36b,36cが各板21A,21B,22,23の開口33に差し込まれた状態で、各板21A,21B,22,23と差込部36b,36cとが連結ネジ37で締め付けられる。【選択図】        図６
0003131011.tif 000002
【実用新案登録請求の範囲】
【請求項１】
左右一対の側板と、上側の天板と、下側の底板と、後側の背板と、前側の間口を開閉する扉と、前記扉をロックするロック機構とを備えた保管庫において、
前記側板、前記天板及び前記底板のそれぞれが、内部に補強リブを含む中空体として引き抜き又は押し出しにより成形されると共にその中空体が幅方向に切断されることにより形成され、その切断された両端の開口が前記補強リブにより区画されることと、
前記側板、前記天板及び前記底板の両端が互いに角連結部材により連結され、前記角連結部材は前記側板、前記天板及び前記底板の幅方向に延びる基部と、前記基部に沿って延び、前記基部を中心に互いに直角をなして突出し、前記側板、前記天板及び前記底板の前記開口に差し込まれる差込部とを含み、前記差込部には、前記補強リブを挟む谷部が形成されることと、
前記差込部が前記側板、前記天板及び前記底板の前記開口に差し込まれた状態で前記側板、前記天板及び前記底板と前記差込部とがネジにより締め付けられることと
を備えたことを特徴とする保管庫。
【請求項２】
前記側板、前記天板及び前記底板の少なくとも一側面に前記補強リブに沿った溝が形成されたことを特徴とする請求項１に記載の保管庫。
【請求項３】
前記天板と前記底板との間に少なくとも一つの棚板が配置され、前記棚板が前記側板、前記天板及び前記底板と共通の構成を有する中空体により形成されたことを特徴とする請求項１又は２に記載の保管庫。
【請求項４】
前記棚板は、前記中空体の補強リブに固定されて前記開口から突出する連結ピンを含み、前記棚板が前記連結ピンを介して前記左右一対の側板に連結されたことを特徴とする請求項３に記載の保管庫。
【請求項５】
前記左右一対の側板の間に少なくとも一つの仕切板が配置され、前記仕切板が前記側板、前記天板及び前記底板と共通の構成を有する中空体により形成されたことを特徴とする請求項１乃至４の何れかに記載の保管庫。
【請求項６】
前記仕切板は、前記中空体の補強リブに固定されて前記開口から突出する連結ピンを含み、前記仕切板が前記連結ピンを介して前記天板、前記底板及び前記棚板のうちの二つに連結されたことを特徴とする請求項５に記載の保管庫。
【請求項７】
前記仕切板の少なくとも一側面に前記補強リブに沿った溝が形成されたことを特徴とする請求項５又は６に記載の保管庫。
【請求項８】
前記側板、前記天板及び前記底板の後側面には、その長手方向に係合庇が形成され、前記背板は、その外縁が前記係合庇に係合することにより前記側板、前記天板及び前記底板に固定されることを特徴とする請求項１乃至７の何れかに記載の保管庫。
【考案の詳細な説明】
【技術分野】
【０００１】
この考案は、一対の側板、天板、底板及び背板により構成される本体と、その本体の前側に設けられる扉と、その扉をロックするロック機構とを備え、一つ又は複数の間口を有する保管庫に関する。
【背景技術】
【０００２】
従来、この種の保管庫として、例えば、板金製ロッカー等の保管庫が一般に知られている。一例として、下記の特許文献１に記載される保管庫等を挙げることができる。この種の保管庫は、板金（プレス）加工した複数の金属板材（２枚の側板、天板、底板、背板及び扉）を相互に直方体形状又は立方体形状の箱形に組み付けて構成される。組み付けには、主として複数の金属板を相互に溶接することが行われる。小型の保管庫では、複数の金属板を相互にネジで締め付けることが行われる。ネジによる締め付けでは、各金属板材の所定部位に雌ネジを設けておき、各金属板材の間で雌ネジを整合させながら順番に組み合わせ、整合させた雌ネジに雄ネジを締め付けることが行われる。ここで、各金属板材に雌ネジを設けるには、金属板材にタップで雌ネジを直接切ったり、予め雌ネジを切った金属ブロックを金属板材の所定部位に溶接したりすることが行われる。また、保管庫の扉を開閉可能に組み付けたり、その扉のためのロック機構を組み付けたりするために、金属板材の所定部位に雌ネジを切ったり、ばか穴を切ったりすることも行われる。
【特許文献１】特開平８−３８２６９号公報
【考案の開示】
【考案が解決しようとする課題】
【０００３】
ところが、従来の保管庫では、大きさや形の異なる複数種類の保管庫を製造するためには、各保管庫に合わせて、側板、天板、底板、背板及び扉等の全てを別個の金型で板金（プレス）成形しなければならなかった。このため、複数種類の保管庫に合わせて、多種類の金型が必要となり、製造設備が大掛かりとなり、生産コストが嵩むこととなった。
【０００４】
また、従来の保管庫では、複数の金属板材を箱形に組み付けるために、溶接を採用した場合には、複数の金属板材を溶接前に正確に位置決めしなければならない。また、ネジによる締め付けを採用した場合には、雌ネジやばか穴の位置決めに高精度の加工が必要になる。溶接前に金属板同士の位置決めが不正確では、溶接後に箱形が歪になってしまう。また、組み付けの際に、雌ネジやばか穴の位置決めが不正確では、雄ネジや付属部品の組み付けが難しく、複数の金属板材を箱形に組み付けることが難しくなる。従って、手作業の溶接により金属板材を組み付けたり、手作業で金属板材をネジのみにより組み付けたりする場合には、作業者に高度な技量が必要となり、生産性が低下する。一方、組み付けを機械化すると、大掛かりな設備が必要となり、生産コストが嵩むこととなる。
【０００５】
この考案は上記事情に鑑みてなされたものであって、その目的は、汎用的部材を使用して製造を簡略化することを可能とし、高度な技量を要することなく作業者が容易かつ正確に組み上げることを可能とした保管庫を提供することにある。
【課題を解決するための手段】
【０００６】
上記目的を達成するために、請求項１に記載の考案は、左右一対の側板と、上側の天板と、下側の底板と、後側の背板と、前側の間口を開閉する扉と、扉をロックするロック機構とを備えた保管庫において、側板、天板及び底板のそれぞれが、内部に補強リブを含む中空体として引き抜き又は押し出しにより成形されると共にその中空体が幅方向に切断されることにより形成され、その切断された両端の開口が補強リブにより区画されることと、側板、天板及び底板の両端が互いに角連結部材により連結され、角連結部材は側板、天板及び底板の幅方向に延びる基部と、基部に沿って延び、基部を中心に互いに直角をなして突出し、側板、天板及び底板の開口に差し込まれる差込部とを含み、差込部には、補強リブを挟む谷部が形成されることと、差込部が側板、天板及び底板の開口に差し込まれた状態で側板、天板及び底板と差込部とがネジにより締め付けられることとを備えたことを趣旨とする。
【０００７】
上記考案の構成によれば、側板、天板及び底板のそれぞれが、内部に補強リブを含む中空体として引き抜き又は押し出しにより成形されると共にその中空体が幅方向に切断されることにより形成されるので、側板、天板及び底板を形成するために、複数種類のダイス又は金型を使用する必要がない。また、引き抜き又は押し出しにより成形された中空体を、各種保管庫の大きさや形に合わせて適宜切断するだけで、側板、天板及び底板が得られる。更に、側板、天板及び底板を互いに組み付けるときには、保管庫の上下左右の角毎にて、角連結部材の差込部を側板、天板及び底板の開口に差し込むことで、ネジの締め付け前に、側板、天板及び底板を互いに仮止めすることが可能となる。また、差込部を側板、天板及び底板の開口に差し込むだけで、差込部の谷部が補強リブを挟むので、側板、天板及び底板と角連結部材との間の位置決めが容易となり、側板、天板及び底板と角連結部材との幅方向の連結力が強まる。
【０００８】
上記目的を達成するために、請求項２に記載の考案は、請求項１に記載の考案において、側板、天板及び底板の少なくとも一側面に補強リブに沿った溝が形成されたことを趣旨とする。
【０００９】
上記考案の構成によれば、請求項１に記載の考案の作用に加え、溝の部分では、補強リブの分だけ肉厚が得られるので、この溝をネジ締め付けのための部位として利用することが可能となる。例えば、側板の一側面にロック機構を固定するために、ネジ止め部位として利用することが可能となる。
【００１０】
上記目的を達成するために、請求項３に記載の考案は、請求項１又は２に記載の考案において、天板と底板との間に少なくとも一つの棚板が配置され、棚板が側板、天板及び底板と共通の構成を有する中空体により形成されたことを趣旨とする。
【００１１】
上記考案の構成によれば、請求項１又は２に記載の考案の作用に加え、天板と底板との間に棚板を配置することで、前側の間口の数を増える。また、棚板が側板、天板及び底板と共通の構成を有する中空体により形成されるので、側板、天板及び底板と同様に、異なる長さの棚板を形成するために、複数種類のダイス又は金型を使用する必要がない。引き抜き又は押し出しにより成形された一種類の中空体を、各種保管庫の大きさや形に合わせて切断するだけで、各種保管庫に応じた棚板が適宜得られる。
【００１２】
上記目的を達成するために、請求項４に記載の考案は、請求項３に記載の考案において、棚板は、中空体の補強リブに固定されて開口から突出する連結ピンを含み、棚板が連結ピンを介して左右一対の側板に連結されたことを趣旨とする。
【００１３】
上記考案の構成によれば、請求項３に記載の考案の作用に加え、棚板を組み付けるには、側板、天板及び底板を組み付ける過程で、左右一対の側板の間に棚板を配置して連結ピンを側板に連結すればよい。
【００１４】
上記目的を達成するために、請求項５に記載の考案は、請求項１乃至４の何れかに記載の考案において、左右一対の側板の間に少なくとも一つの仕切板が配置され、仕切板が側板、天板及び底板と共通の構成を有する中空体により形成されたことを趣旨とする。
【００１５】
上記考案の構成によれば、請求項１乃至４の何れかに記載の考案の作用に加え、左右一対の側板の間に仕切板を配置することで、前側の間口の数が増える。また、仕切板が側板、天板及び底板と共通の構成を有する中空体により形成されるので、側板、天板及び底板と同様に、異なる長さの仕切板を形成するために、複数種類のダイス又は金型を使用する必要がない。引き抜き又は押し出しにより成形された一種類の中空体を、各種保管庫の大きさや形に合わせて切断するだけで、各種保管庫に応じた仕切板が適宜得られる。
【００１６】
上記目的を達成するために、請求項６に記載の考案は、請求項５に記載の考案において、仕切板は、中空体の補強リブに固定されて開口から突出する連結ピンを含み、仕切板が連結ピンを介して天板、底板及び棚板のうちの二つに連結されたことを趣旨とする。
【００１７】
上記考案の構成によれば、請求項５に記載の考案の作用に加え、仕切板を組み付けるには、側板、天板及び底板を組み付ける過程で、天板、底板及び棚板のうちの二つの間に仕切板を配置して連結ピンを天板、底板又は棚板に連結すればよい。
【００１８】
上記目的を達成するために、請求項７に記載の考案は、請求項５又は６に記載の考案において、仕切板の少なくとも一側面に補強リブに沿った溝が形成されたことを趣旨とする。
【００１９】
上記考案の構成によれば、請求項５又は６に記載の考案の作用に加え、溝の部分では、補強リブの分だけ肉厚が得られるので、この溝をネジ締め付けのための部位として利用することが可能となる。例えば、仕切板の一側面にロック機構を固定するために、ネジ止め部位として利用することが可能となる。
【００２０】
上記目的を達成するために、請求項８に記載の考案は、請求項１乃至７の何れかに記載の考案において、側板、天板及び底板の後側面には、その長手方向に係合庇が形成され、背板は、その外縁が係合庇に係合することにより側板、天板及び底板に固定されることを趣旨とする。
【００２１】
上記考案の構成によれば、請求項１乃至７の何れかに記載の考案の作用に加え、背板を組み付けるには、側板、天板及び底板を互いに組み付ける過程で、それらの後側面にて係合庇に背板の外縁を係合させればよい。
【考案の効果】
【００２２】
請求項１に記載の考案によれば、汎用的部材を使用した側板、天板及び底板により保管庫の製造を簡略化することができる。また、高度な技量を要することなく作業者が保管庫を容易かつ正確に組み上げることができる。
【００２３】
請求項２に記載の考案によれば、請求項１に記載の考案の効果に加え、側板、天板及び底板の側面にて、溝を利用して付属部品を容易に固定することができる。
【００２４】
請求項３に記載の考案によれば、請求項１又は２に記載の考案の効果に加え、汎用的部材を使用した棚板により保管庫の製造を簡略化することができる。
【００２５】
請求項４に記載の考案によれば、請求項３に記載の考案の効果に加え、棚板を側板に対して容易に組み付けることがきる。
【００２６】
請求項５に記載の考案によれば、請求項１乃至４の何れかに記載の考案の効果に加え、汎用的部材を使用した仕切板により前側の間口を容易に増やすことができる。
【００２７】
請求項６に記載の考案によれば、請求項５に記載の考案の効果に加え、仕切板を天板、底板及び棚板に対して容易に組み付けることがきる。
【００２８】
請求項７に記載の考案によれば、請求項５又は６に記載の考案の効果に加え、仕切板の側面にて、溝を利用して付属部品を容易に固定することができる。
【００２９】
請求項８に記載の考案によれば、請求項１乃至７の何れかに記載の考案の効果に加え、側板、天板及び底板の後側面に対して背板を容易に組み付けることがきる。
【考案を実施するための最良の形態】
【００３０】
［第１実施形態］
以下、本考案の保管庫を具体化した第１実施形態につき図面を参照して詳細に説明する。図１に、この実施形態の保管庫１を斜視図により示す。図２に、保管庫１の扉２と操作パネル３を開けた状態を斜視図により示す。図３に、保管庫１を正面図により示す。図４に、保管庫１を平面図により示す。図５に、保管庫１を右側面により示す。
【００３１】
この実施形態の保管庫１は、その前側に上下２つずつ合計４つの間口４を含む。４つの間口４のうち右下を除く３つの間口４に対応して、物を収容するため収容部５が設けられる。これら間口４には、扉２がその右端部を支点に回動可能に設けられる。各収容部５には、鍵、貴重品又は重要資料（紙媒体、電子媒体等）等の物が収容される。各収容部５の中の左内壁には、扉２をロックするための電磁駆動式のロック機構を含むロックユニット６がネジで固定される。各扉２の内側には、各ロックユニット６に係合するフック７が突設される。残りの１つの間口４には、操作パネル３が設けられる。操作パネル３には、液晶表示器８、テンキー９、カードリーダ１０、ＬＡＮ接続口１１及び錠１２が設けられる。この操作パネル３も、扉２と同様に、その右端部を支点に回動可能に設けられる。操作パネル３を回動することで、この間口４の中を開閉することができる。操作パネル３に対応した間口４の中の空間には、コントローラ及び電源機器等（図示略）が取り付けられる。コントローラ及び電源機器には、液晶表示器８、テンキー９、カードリーダ１０、ＬＡＮ接続口１１及び各ロックユニット６がそれぞれ電気的に接続される。操作パネル３を開けることで、その間口４の中の電気機器をメンテナンスすることができる。参考として、この実施形態の保管庫１の大きさは、高さ「３７１  ｍｍ］、横幅「４１７  ｍｍ」、奥行き「１５０  ｍｍ」であり、人一人が楽に持ち運びできる大きさとなっている。
【００３２】
この保管庫１を操作するには、使用者がＩＣカードをカードリーダ１０にかざしてＩＤデータを読み込ませる。次にテンキー９を操作して暗証番号や、指定すべき扉２の番号を入力する。このとき、コントローラがカードリーダ１０から読み込まれたＩＤデータと暗証番号に基づき、使用者に予め登録された権限があるか否かを判断する。そして、使用者に権限がある場合にのみ、コントローラが指定された扉２のロックユニット６を解錠する。その後、扉２を開け、収容部５の中から必要な物を取り出し、その扉２を閉めると、ロックユニット６が再び施錠する。この扉２の指定動作及び使用者のＩＤデータ等の履歴は、コントローラのメモリ等に記録される。このような制御処理は、内蔵した制御プログラムに基づきコントローラが実行するようになっている。
【００３３】
次に、この保管庫１の組付構造を以下に説明する。図６に、扉２と操作パネル３を除いた保管庫１の本体につき組付構造を分解斜視図により示す。
【００３４】
図１〜６に示すように、保管庫１の本体は、左右一対の側板２１Ａ，２１Ｂと、上側の天板２２と、下側の底板２３と、後側の背板２４と、天板２２と底板２３との間に配置された棚板２５と、天板２２と棚板２５との間、棚板２５と底板２３との間のそれぞれにて左右の側板２１Ａ，２１Ｂの間にそれぞれ配置された上下の仕切板２６Ａ，２６Ｂとを備える。各板２１Ａ，２１Ｂ，２２〜２５，２６Ａ，２６Ｂは、それぞれアルミニウム製である。左の側板２１Ａの内側には、上下に配置された二つのロックユニット６が予め固定される。上の仕切板２６Ａの一側にもロックユニット６が予め固定される。
【００３５】
この保管庫１の本体を構成する左右の側板２１Ａ，２１Ｂ、天板２２及び底板２３のそれぞれは、アルミニウムよりなる押し出し材により構成される。すなわち、各側板２１Ａ，２１Ｂ、天板２２及び底板２３のそれぞれは、内部に複数の補強リブ３１，３２を含む中空体として押し出しにより成形されると共にその中空体が幅方向に切断されることにより形成される。つまり、左右の側板２１Ａ，２１Ｂ、天板２２及び底板２３は、押し出しにより成形された共通の汎用的部材を所要の長さで幅方向に切断することにより形成される。切断された各側板２１Ａ，２１Ｂ、天板２２及び底板２３の両端の開口３３は、複数の補強リブ３１により区画される。ここで「幅方向」は、図４では天板２２の前後方向に相当し、図５では側板２１Ｂの左右方向に相当する。
【００３６】
図７に、各側板２１Ａ，２１Ｂ、天板２２及び底板２３の切断された一端を正面図により示す。図７において、各板２１Ａ，２１Ｂ，２２，２３の上側が外側面を、下側が内側面を示す。中空体をなす各板２１Ａ，２１Ｂ，２２，２３は、その幅方向（図面左右方向）に長い略長方形状をなしている。各板２１Ａ，２１Ｂ，２２，２３の開口３３には、その幅横行に沿って三つの補強リブ３１がほぼ等間隔をもって形成される。また、これら補強リブ３１に対応して、各板２１Ａ，２１Ｂ，２２，２３の内側面には、補強リブ３１に沿って合計３本の溝３４が平行に形成される。各溝３４を構成する肉部分は、各補強リブ３１と一体化している。補強リブ３１は、Ｃ形部３１ａと棒部３１ｂとを結合させた断面形状を有する。更に、Ｃ形部３１ａに、溝３４を構成する断面門形部３１ｃが一体化している。開口３３の前後には、別の補強リブ３２が形成される。別の補強リブ３２も、Ｃ形部３２ａと棒形部３２ｂとを結合させた断面形状をなしている。別の補強リブ３２は、それぞれＣ形部３２ａが棒形部３２ｂの先に位置しており、それぞれ各板２１Ａ，２１Ｂ，２２，２３の幅方向へ向けて突設される。各板２１Ａ，２１Ｂ，２２，２３の後側面（図７右側）には、その長手方向に沿って係合庇３５が形成される。この係合庇３５は、断面鉤形をなし、各板２１Ａ，２１Ｂ，２２，２３の外側面の縁に形成される。そして、各板２１Ａ，２１Ｂ、２２，２３を四角枠形に組み付けたときに、その四角枠形の後側面の外縁に沿って各係合庇３５が四角形状に連なることとなる。図７に２点鎖線で示すように、これら係合庇３５に、四角形状をなす背板２４の外縁を係合させることにより、背板２４が各板２１Ａ，２１Ｂ，２２，２３に対して固定される。
【００３７】
図６に示すように、上記した四角枠形の四隅において、各側板２１Ａ，２１Ｂ、天板２２及び底板２３の両端は、互いに合計４つのコーナブロック３６により連結される。各コーナブロック３６は樹脂より成形され、本考案の角連結部材に相当する。図９に、天板２２、右の側板２１Ｂ及びコーナブロック３６の関係を斜め上からの分解斜視図により示す。図１０に、同じく天板２２、右の側板２１Ｂ及びコーナブロック３６の関係を斜め下からの分解斜視図により示す。コーナブロック３６は、各側板２１Ａ，２１Ｂ、天板２２及び底板２３の幅方向に延びる軸状の基部３６ａと、その基部３６ａに沿って延び、基部３６ａを中心に互いに直角をなして突出する差込部３６ｂ，３６ｃとを含む。各差込部３６ｂ，３６ｃは、各側板２１Ａ，２１Ｂ、天板２２及び底板２３の開口３３に差し込まれる。各差込部３６ｂ，３６ｃには、上記した複数の補強リブ３１に対応して配置され、各補強リブ３１を間に挟む複数の谷部３６ｄが形成される。そして、四角枠形の四隅では、各コーナブロック３６の差込部３６ｂ，３６ｃが各側板２１Ａ，２１Ｂ、天板２２及び底板２３の開口３３にそれぞれ差し込まれた状態で、側板２１Ａ，２１Ｂ、天板２２及び底板２３と差込部３６ｂ，３６ｃとが複数の連結ネジ３７により締め付けられることで、各側板２１Ａ，２１Ｂ、天板２２及び底板２３が互いにコーナブロック３６を介して連結される。この実施形態では、連結ネジ３７が各側板２１Ａ，２１Ｂ、天板２２及び底板２３の内側から締め付けられる。
【００３８】
図１１に、保管庫１のコーナ部分を、図３のＡ−Ａ線断面図により示す。図１２に、保管庫１のコーナ部分を、図３のＢ−Ｂ線断面図により示す。図１１から分かるように、天板２２と側板２１Ｂがコーナブロック３６と連結ネジ３７で連結された状態では、各補強リブ３１が、差込部３６ｂ，３６ｃの谷部３６ｄにより挟み込まれる。この実施形態では、差込部３６ｂ，３６ｃの谷部３６ｄに補強リブ３１を圧入させた状態となっている。また、図１２から分かるように、天板２２と側板２１Ｂがコーナブロック３６と連結ネジ３７で連結された状態では、各板２１Ａ，２２からの差込部３６ｂ，３６ｃの引き抜きが連結ネジ３７により規制されている。
【００３９】
この実施形態で、棚板２５は、天板２２及び底板２３とほぼ同じ外形と大きさを有する。また、棚板２５は、天板２２及び底板２３と共通の構成を有する中空体により形成される。図８に、棚板２５の切断された一端を正面図により示す。この棚板２５の断面形状は、その後側面に係合庇３５がない以外は、側板２１Ａ，２１Ｂ、天板２２及び底板２３と基本的に同じ形状と構造を有する。すなわち、棚板２５も、各板２１Ａ，２１Ｂ，２２，２３と同様に補強リブ３１，３２と溝３４を含む。
【００４０】
この実施形態で、各仕切板２６Ａ，２６Ｂは、棚板２５と同じ構成を有する。すなわち、仕切板２６Ａ，２６Ｂも図８に示す断面形状を有する。図１３に、仕切板２６Ａと天板２２の連結構造を斜視図により示す。仕切板２６Ａの開口３３において、二つの補強リブ３２には、連結ピン３８がそれぞれ固定されて開口３３から外に突出している。連結ピン３８は、図８に示すように、補強リブ３２のＣ形部３２ａの中に圧入されるかたちで固定される。図１３に示すように、天板２２の内側面には、各連結ピン３８に整合した連結孔３９が形成される。そして、仕切板２６Ａは、その連結ピン３８を連結孔３９に挿入することにより連結ピン３８を介して天板２２に連結される。この仕切板２６Ａと棚板２５との連結構造も上記と同じである。また、下側の仕切板２６Ｂと棚板２５及び底板２３との連結構造も上記と同じである。更に、棚板２５と左右の側板２１Ａ，２１Ｂとの連結構造も、上記した仕切板２６Ａのそれと基本的に同じである。
【００４１】
この実施形態で、図１〜３に示すように、扉２は、アルミニウム製の本体４１と、その本体４１の左右両側に組み付けられた樹脂製のエンドブロック４２，４３とから構成される。本体４１は、内部に補強リブを含む中空体として押し出しにより成形されると共にその中空体が幅方向に切断されることにより形成される。その本体４１の左右両側の開口にエンドブロック４２，４３が差し込まれて連結ネジ（図示略）で締め付けられている。図１〜３において、各扉２の右側のエンドブロック４３は、ヒンジ用の連結ピン（図示略）を組み込んで形成される。この連結ピンが、天板２２、棚板２５及び底板２３のうちの二つの内側に連結されることにより、扉２が連結ピンを中心に回動可能となっている。左側のエンドブロック４２には、凹形状を有する取っ手４２ａが形成される。
【００４２】
一方、この実施形態で、操作パネル３は板金により形成される。この操作パネル３に、液晶表示器８、テンキー９、カードリーダ１０、ＬＡＮ接続口１１及び錠１２が取り付けられる。そして、操作パネル３の右側にヒンジ用の連結ピン（図示略）が組み込まれ、この連結ピンが、棚板２５と底板２３に連結されることにより、操作パネル３が連結ピンを中心に回動可能となっている。
【００４３】
上記した保管庫１は、各構成部材を以下のような手順で組み上げることができる。第１に、底板２３と左の側板２１Ａをコーナブロック３６と連結ネジ３７により固定する。第２に、底板２３に下側の仕切板２６Ｂ、下側の扉２及び操作パネル３を填め込み、それら仕切板２６Ｂ、扉２及び操作パネル３の上に棚板２５を填め込むと共に、その棚板２５の左端を左の側板２１Ａに填め込む。第３に、底板２３に対して右の側板２１Ｂをコーナブロック３６と連結ネジ３７により固定すると共に、その側板２１Ｂに棚板２５の右端を填め込む。第４に、棚板２５に上側の仕切板２６Ａ、上側の２つの扉２をそれぞれ填め込む。第５に、天板２２の両端にコーナブロック３６を填め込み、連結ネジ３７で固定する。第６に、２つの側板２１Ａ，２１Ｂ及び底板２３の後側面に設けた係合庇３５（図７参照）に、背板２４の外縁を滑り込ませながら背板２４を装着する。第７に、天板２２の両端に固定したコーナブロック３６を２つの側板２１Ａ，２１Ｂに填め込みながら、上側の仕切板２６Ａ、２つの扉２の上から天板２２を填め込み、コーナブロック３６を連結ネジ３７により左右の側板２１Ａ，２１Ｂに固定する。このような手順で保管庫１を組み上げることができる。尚、左の側板２１Ａ及び上側の仕切板２６Ａには、予めロックユニット６を固定しおくこととなる。
【００４４】
以上説明したこの実施形態の保管庫１によれば、左右の側板２１Ａ，２１Ｂ、天板２２及び底板２３のそれぞれが、共通の汎用的部材から形成される。すなわち、各板２１Ａ，２１Ｂ，２２，２３は、内部に補強リブ３１，３２を含む中空体として押し出しにより成形されると共にその中空体が幅方向に切断されることにより形成される。従って、側板２１Ａ，２１Ｂ、天板２２及び底板２３を形成するために、複数種類のダイス又は金型を使用する必要がない。また、押し出しにより成形された中空体を、各種保管庫の大きさや形に合わせて適宜切断するだけで、左右の側板２１Ａ，２１Ｂ、天板２２及び底板２３が得られる。このため、汎用的部材を使用した左右の側板２１Ａ，２１Ｂ、天板２２及び底板２３により保管庫１の製造設備と製造工程を簡略化することができる。
【００４５】
更に、この実施形態では、左右の側板２１Ａ，２１Ｂ、天板２２及び底板２３を互いに組み付けるときには、保管庫１の上下左右の角毎にて、コーナブロック３６の差込部３６ｂ，３６ｃを各板２１Ａ，２１Ｂ，２２，２３の開口３３に差し込むことにより、連結ネジ３７の締め付け前に、各板２１Ａ，２１Ｂ，２２，２３を互いに仮止めすることが可能となる。また、差込部３６ｂ，３６ｃを左右の側板２１Ａ，２１Ｂ、天板２２及び底板２３の開口３３に差し込むだけで、差込部３６ｂ，３６ｃの谷部３６ｄが補強リブ３１を挟むこととなるので、左右の側板２１Ａ，２１Ｂ、天板２２及び底板２３とコーナブロック３６との間の位置決めが容易となり、各板２１Ａ，２１Ｂ，２２，２３とコーナブロック３６との幅方向の連結力が強まる。このことは、手作業の溶接により金属板材を組み付けたり、手作業で金属板材をネジのみにより組み付けたりする場合に比べて、作業者には高度な技量が要求されない。このため、高度な技量を要することなく作業者が保管庫１を容易かつ正確に組み上げることができる。
【００４６】
この実施形態では、左右の側板２１Ａ，２１Ｂ、天板２２及び底板２３の一側面に補強リブ３１に沿った溝３４が形成されている。従って、溝３４の部分では、補強リブ３１の分だけ肉厚が得られるので、この溝３４をネジの締め付けのための部位として利用することが可能となる。この実施形態では、左の側板２１Ａの一側面に形成した溝３４を、ロックユニット６を固定するためのネジ止めの部位として利用している。この他、天板２２及び底板２３にも、その一側面に溝３４を利用して付属部品をネジ止めすることが可能である。このように、左右の側板２１Ａ，２１Ｂ、天板２２及び底板２３の一側面にて、溝３４を利用して付属部品を容易に固定することができる。
【００４７】
また、この実施形態では、天板２２と底板２３との間に棚板２５を配置しているので、その分だけ前側の間口４の数が上下に増える。また、棚板２５が、左右の側板２１Ａ，２１Ｂ、天板２２及び底板２３と共通の構成を有する中空体により形成されるので、各板２１Ａ，２１Ｂ，２２，２３と同様に、異なる長さの棚板を形成するために、複数種類のダイス又は金型を使用する必要がない。更に、押し出しにより成形された一種類の中空体を、各種保管庫の大きさや形に合わせて切断するだけで、各種保管庫に応じた棚板２５が適宜得られる。このため、汎用的部材を使用した棚板２５により保管庫１の製造を簡略化することができる。
【００４８】
この実施形態では、棚板２５は、中空体の中の補強リブ３２に固定されて開口３３から突出する連結ピン３８を含み、その棚板２５が連結ピン３８を介して左右の側板２１Ａ，２１Ｂに連結される。従って、棚板２５を組み付けるには、左右の側板２１Ａ，２１Ｂ、天板２２及び底板２３を組み付ける過程で、左右の側板２１Ａ，２１Ｂの間に棚板２５を配置して連結ピン３８を側板２１Ａ，２１Ｂに連結すればよい。このため、棚板２５を、左右の側板２１Ａ，２１Ｂに対して容易に組み付けることがきる。
【００４９】
この実施形態では、左右の側板２１Ａ，２１Ｂの間にて棚板２５を挟んで上下に２つの仕切板２６Ａ，２６Ｂを配置しているので、その分だけ前側の間口４の数が左右に増える。また、各仕切板２６Ａ，２６Ｂが、左右の側板２１Ａ，２１Ｂ、天板２２及び底板２３と共通の構成を有する中空体により形成されるので、各板２１Ａ，２１Ｂ，２２，２３と同様に、異なる長さの仕切板を形成するために、複数種類のダイス又は金型を使用する必要がない。更に、押し出しにより成形された一種類の中空体を、各種保管庫の大きさや形に合わせて切断するだけで、各種保管庫に応じた仕切板２６Ａ，２６Ｂが適宜得られる。このため、汎用的部材を使用した仕切板２６Ａ，２６Ｂにより保管庫１の製造を簡略化することができる。
【００５０】
この実施形態では、仕切板２６Ａ，２６Ｂは、中空体の補強リブ３２に固定されて開口３３から突出する連結ピン３８を含み、仕切板２６Ａ，２６Ｂが連結ピン３８を介して天板２２、底板２３及び棚板２５のうちの二つに連結される。従って、仕切板２６Ａ，２６Ｂを組み付けるには、左右の側板２１Ａ，２１Ｂ、天板２２及び底板２３を組み付ける過程で、天板２２、底板２３及び棚板２５のうちの二つの間に仕切板２６Ａ，２６Ｂを配置して連結ピン３８を天板２２、底板２３又は棚板２５に連結すればよい。このため、仕切板２６Ａ，２６Ｂを、天板２２、底板２３又は棚板２５に対して容易に組み付けることがきる。
【００５１】
また、この実施形態では、仕切板２６Ａ，２６Ｂの一側面にも補強リブ３１に沿った溝３４が形成されるので、上記した側板２１Ａと同様に、上側の仕切板２６Ａの溝３４を、ロックユニット６を固定するためのネジ止めの部位として利用することができる。このため、仕切板２６Ａ，２６Ｂの一側面にて、溝３４を利用して付属部品を容易に固定することができる。
【００５２】
この実施形態では、背板２４を組み付けるのに、左右の側板２１Ａ，２１Ｂ、天板２２及び底板２３を互いに組み付ける過程で、それらの後側面にて係合庇３５に背板２４の外縁を係合させればよい。このため、左右の側板２１Ａ，２１Ｂ、天板２２及び底板２３の後側面に対して背板２４を容易に組み付けることがきる。
【００５３】
更に、この実施形態では、左右の側板２１Ａ，２１Ｂ、天板２２及び底板２３の内側から連結ネジ３７を締め付けるので、連結ネジ３７が各板２１Ａ，２１Ｂ，２２，２３の内側に隠れ、外側には現れない。従って、連結ネジ３７を外側から外すことができない。この意味で、保管庫１として意匠性（美的外観）を向上させることができ、防犯性を高めることができる。
【００５４】
［第２実施形態］
次に、本考案の保管庫を具体化した第２実施形態につき図面を参照して詳細に説明する。なお、以下に説明する各実施形態（第２実施形態を含む。）において、第１実施形態と同等の構成については、同じ符号を付して詳しい説明を省略する。以下には、異なった点について説明する。
【００５５】
図１４に、この実施形態の保管庫５１を斜視図により示す。図１５に、保管庫５１の扉２を開けた状態を斜視図により示す。この実施形態の保管庫５１は、上下に２つの間口４を有するタイプである点で第１実施形態の保管庫１と異なる。すなわち、この保管庫５１の左右の側板２１Ａ，２１Ｂは、第１実施形態のそれと同じ大きさと形及び構成を有する。また、天板２２、底板２３、棚板２５及び背板（図示略）は、大きさと形は異なるが、構成の点では第１実施形態のそれと同じである。その他、この実施形態のコーナブロック３６及び扉２は、それぞれ第１実施形態のそれと同じである。操作パネル３は、第１実施形態のそれとは異なり、固定式のものであり、錠１２が省略されている。従って、この保管庫５１は、上段の間口４の中が収容部５となっているだけで、下段の間口は操作パネル３により常に塞がれている。左右の側板２１Ａ，２１Ｂ、天板２２、底板２３、棚板２５、扉２、背板（図示略）及びコーナブロック３６の組付構造は第１実施形態のそれと基本的に同じである。このため、組付構造に係る作用効果の点でも、第１実施形態のそれと基本的に同じである。また、この実施形態では、１つの扉２を有する小型の保管庫５１を提供することができる。
【００５６】
［第３実施形態］
次に、本考案の保管庫を具体化した第３実施形態につき図面を参照して詳細に説明する。
【００５７】
図１６に、この実施形態の保管庫５２を正面図により示す。この実施形態の保管庫５２は、上段に３つの間口を有すると共に、下段に大小２つの間口を有し、下段の大きい間口に本考案の扉に相当する引き出し１３を有するタイプである点で前記各実施形態の保管庫１，５１と異なる。すなわち、この保管庫５２の左右の側板２１Ａ，２１Ｂは、第１実施形態のそれと同じ大きさと形及び構成を有する。また、天板２２、底板２３、棚板２５及び背板（図示略）は、大きさと形は異なるが、構成の点では第１実施形態のそれと同じである。その他、この実施形態のコーナブロック３６、扉２及び仕切板２６Ａ，２６Ｂは、それぞれ第１実施形態のそれと同じである。下段に設けた操作パネル３は、第２実施形態と同様固定式のものである。下段に設けられた引き出し１３は、前後に出し入れ可能に設けられる。この引き出し１３に対応して棚板２５の下面には、ロックユニット（図示略）が設けられる。左右の側板２１Ａ，２１Ｂ、天板２２、底板２３、棚板２５、扉２、背板（図示略）及びコーナブロック３６の組付構造は第１実施形態のそれと基本的に同じである。このため、組付構造に係る作用効果の点でも、第１実施形態のそれと基本的に同じである。また、この実施形態では、３つの扉２と１つの引き出し１３を有する大型の保管庫５２を提供することができる。この保管庫５２は、扉２より大きい引き出し１３を有することから、比較的大きい物を引き出し１３の中に収容することができる。
【００５８】
［第４実施形態］
次に、本考案の保管庫を具体化した第４実施形態につき図面を参照して詳細に説明する。
【００５９】
図１７に、この実施形態の保管庫５３を斜視図により示す。この実施形態の保管庫５３は、１つの間口を有するタイプである点で前記各実施形態の保管庫１，５１，５２と異なる。また、この保管庫５３は、１つの間口に開閉用の扉２と操作パネル３を設けられる点が特徴的である。すなわち、この保管庫５３の左右の側板２１Ａ，２１Ｂ、天板２２、底板２３、コーナブロック３６及び背板（図示略）は、大きさと形は異なるが、構成の点では第１実施形態のそれと同じである。その他、この実施形態の扉２は、基本形態と、ヒンジ軸が左側にある点で前記各実施形態のそれと異なるが、ロックユニット（図示略）の動作に基づき施錠及び解錠する点では前記各実施形態のそれと同じである。操作パネル３は、第２及び第３の実施形態と同様固定式のものである。左右の側板２１Ａ，２１Ｂ、天板２２、底板２３、棚板２５、扉２、背板（図示略）及びコーナブロック３６の組付構造は第１実施形態のそれと基本的に同じである。このため、組付構造に係る作用効果の点でも、第１実施形態のそれと基本的に同じである。また、この実施形態では、１つの間口からなる小型卓上用の保管庫５３を提供することができる。
【００６０】
尚、この考案は前記各実施形態に限定されるものではなく、考案の趣旨を逸脱することのない範囲で以下のように実施することができる。
【００６１】
前記各実施形態では、側板２１Ａ，２１Ｂ、天板２２、底板２３、棚板２５及び仕切板２６Ａ，２６Ｂ等をアルミニウムよりなる押し出し材により構成したが、これら構成部材をアルミニウムよりなる引き抜き材により構成してもよい。すなわち、各構成部材のそれぞれを、内部に複数の補強リブを含む中空体として引き抜きより成形すると共にその中空体を幅方向に切断することにより形成してもよい。
【００６２】
この他、前記各実施形態で説明した各保管庫１，５１，５２，５３以外の大きさ、形状及び間口等の数を適宜変更することにより、この考案の保管庫を具体化することもできる。
【図面の簡単な説明】
【００６３】
【図１】保管庫を示す斜視図。
【図２】保管庫の扉と操作パネルを開けた状態を示す斜視図。
【図３】保管庫を示す正面図。
【図４】保管庫を示す平面図。
【図５】保管庫を示す右側面図。
【図６】扉と操作パネルを除いた保管庫本体の組付構造を示す分解斜視図。
【図７】側板、天板及び底板の切断された一端を示す正面図。
【図８】仕切板の切断された一端を示す正面図。
【図９】天板、側板及びコーナブロックの関係を斜め上から見た分解斜視図。
【図１０】天板、側板及びコーナブロックの関係を斜め下から見た分解斜視図。
【図１１】保管庫のコーナ部分を示す図３のＡ−Ａ線断面図。
【図１２】保管庫のコーナ部分を示す図４のＢ−Ｂ線断面図。
【図１３】仕切板と天板の連結構造を示す斜視図。
【図１４】保管庫を示す斜視図。
【図１５】保管庫の扉を開けた状態を示す斜視図。
【図１６】保管庫を示す正面図。
【図１７】保管庫を示す斜視図。
【符号の説明】
【００６４】
１    保管庫
２    扉
４    間口
６    ロックユニット（ロック機構）
１３    引き出し（扉）
２１Ａ    側板（左）
２１Ｂ    側板（右）
２２    天板
２３    底板
２４    背板
２５    棚板
２６Ａ    仕切板
２６Ｂ    仕切板
３１    補強リブ
３２    補強リブ
３３    開口
３４    溝
３５    係合庇
３６    コーナブロック（角連結部材）
３６ａ    軸部
３６ｂ    差込部
３６ｃ    差込部
３６ｄ    谷部
３７    連結ネジ
３８    連結ピン
５１    保管庫
５２    保管庫
５３    保管庫
【図１】
0003131011.tif 000003
【図２】
0003131011.tif 000004
【図３】
0003131011.tif 000005
【図４】
0003131011.tif 000006
【図５】
0003131011.tif 000007
【図６】
0003131011.tif 000008
【図７】
0003131011.tif 000009
【図８】
0003131011.tif 000010
【図９】
0003131011.tif 000011
【図１０】
0003131011.tif 000012
【図１１】
0003131011.tif 000013
【図１２】
0003131011.tif 000014
【図１３】
0003131011.tif 000015
【図１４】
0003131011.tif 000016
【図１５】
0003131011.tif 000017
【図１６】
0003131011.tif 000018
【図１７】
0003131011.tif 000019